(57)【要約】【課題】  化学物質データを取得する際に、取得した化学物質データの記載情報について高精度かつ効率的に検査し、正確な化学物質データを取得することができる化学物質データ取得装置を提供する。【解決手段】  化学物質データ取得装置１０は、部品および原材料の取引先＆製造元に対して、調査シートへの化学物質データの記載を依頼する依頼部１５ａと、回答期限内に回答を取得しているか否かを判定する取得判定部１５ｂと、取得した調査シートに記載されている内容に記載漏れおよび記載誤りがないかを検査する検査部１５ｃと、検査部１５ｃによる検査結果が要求を満たしていない場合に訂正を依頼する訂正依頼部１５ｄと、回答期限内に回答を取得していない場合に回答を督促する督促依頼部１５ｅと、提出スコアおよび検査スコアを取引先＆製造元毎に管理する評価部１５ｆとを備える。【選択図】        図１
2005084760.tif 000002
【特許請求の範囲】
【請求項１】
製品を構成する部品および原材料に含まれる化学物質について記載した化学物質データを取得する化学物質データ取得装置であって、
前記部品および原材料の取引先または製造元へ前記化学物質データの送信を依頼する依頼手段と、
前記取引先または製造元から取得した前記化学物質データの記載情報について検査する検査手段と、
前記検査手段による検査の結果に応じて、前記取引先または製造元に対して前記化学物質データの記載情報の訂正を依頼する訂正依頼手段と
を備えることを特徴とする化学物質データ取得装置。
【請求項２】
前記化学物質データ取得装置は、さらに、前記化学物質データが取得されたか否かを判定する取得判定手段と、
前記取得判定手段による判定結果に応じて、前記取引先または製造元に対して前記化学物質データの送信を督促する督促依頼手段と
を備えることを特徴とする請求項１記載の化学物質データ取得装置。
【請求項３】
前記取得判定手段は、前記化学物質データが取得されるべき所定の日を管理するとともに、前記所定の日が過ぎたときに前記判定を行う
ことを特徴とする請求項２記載の化学物質データ取得装置。
【請求項４】
前記化学物質データ取得装置は、さらに、前記化学物質データを登録するための化学物質データベースと、前記部品および原材料を構成する素材と前記素材に含まれる前記化学物質との対応関係が登録された検査用データベースとを保持する記憶手段を備え、
前記検査手段は、前記検査用データベースを用いて前記化学物質データの記載情報について記載漏れおよび記載誤りを検査するとともに、前記検査の結果、前記化学物質データの記載情報が登録要求を満たした場合、前記化学物質データを前記化学物質データベースに登録し、一方、前記化学物質データの記載情報が前記登録要求を満たさなかった場合、その旨を前記訂正依頼手段に通知する
ことを特徴とする請求項１記載の化学物質データ取得装置。
【請求項５】
前記検査用データベースには、複数の前記素材と複数の前記化学物質との対応関係がマトリックス状に保持され、その格子点に当該素材に含まれる当該化学物質の有無または割合が保持される
ことを特徴とする請求項４記載の化学物質データ取得装置。
【請求項６】
前記検査用データベースは、さらに前記素材が用いられる前記部品および原材料の種別を示す属性情報を前記素材毎に保持する
ことを特徴とする請求項５記載の化学物質データ取得装置。
【請求項７】
前記検査手段は、前記検査により検出された記載漏れおよび記載誤りの重要度および数に基づいて前記化学物質データの記載についての検査スコアを算出し、前記検査スコアが所定値以上の場合に前記登録要求を満たしたとする
ことを特徴とする請求項４記載の化学物質データ取得装置。
【請求項８】
前記化学物質データ取得装置は、さらに、前記検査手段が算出した検査スコアを前記取引先または製造元毎に管理する評価手段
を備えることを特徴とする請求項７記載の化学物質データ取得装置。
【請求項９】
前記取得判定手段は、前記判定結果に基づいて前記取引先または製造元毎の前記化学物質データの提出状況に対する提出スコアを算出する
ことを特徴とする請求項２記載の化学物質データ取得装置。
【請求項１０】
前記化学物質データ取得装置は、さらに、前記取得判定手段が算出した提出スコアを前記取引先または製造元毎に管理する評価手段
を備えることを特徴とする請求項９記載の化学物質データ取得装置。
【請求項１１】
製品を構成する部品および原材料に含まれる化学物質について記載した化学物質データを取得する化学物質データ取得方法であって、
前記部品および原材料の取引先または製造元へ前記化学物質データの送信を依頼する依頼ステップと、
前記取引先または製造元から取得した前記化学物質データの記載情報について検査する検査ステップと、
前記検査手段による検査の結果に応じて、前記取引先または製造元に対して前記化学物質データの記載情報の訂正を依頼する訂正依頼ステップと
を含むことを特徴とする化学物質データ取得方法。
【請求項１２】
製品を構成する部品および原材料に含まれる化学物質について記載した化学物質データを取得するためのプログラムであって、
請求項１１記載の化学物質データ取得方法に含まれるステップをコンピュータに実行させる
ことを特徴とするプログラム。
【発明の詳細な説明】
【技術分野】
【０００１】
本発明は、製品を構成する部品および原材料に含まれる化学物質のデータを取得する化学物質データ取得装置に関する。
【背景技術】
【０００２】
地球規模での環境問題がクローズアップされ、製造会社においては、環境保護の観点で、社会的責任が求められる。具体的には、各国では、法律や規則等の法令によって、環境に負荷を与える特定の化学物質（環境負荷物質）について、使用や輸入、製造を禁止したり、製品への含有率を規制したりしている。企業は、このような法令を遵守するためには、製品を構成する部品および原材料に含まれる化学物質のデータを収集し、管理しておく必要がある。
【０００３】
従来、このような化学物質を管理するシステムとして、化学物質総合管理システム等が提案されている（たとえば、特許文献１参照）。この従来の化学物質総合管理システムは、報告書の提出先毎の所定の書式を登録した書式データベースを備え、報告書の提出先を指定することで当該報告先への報告書を作成できるようにしたものである。
【特許文献１】特開２００２−１８３２９０号公報
【発明の開示】
【発明が解決しようとする課題】
【０００４】
しかしながら、上記従来の化学物質総合管理システムは、生産設備が稼動する過程で排出する物質を集計した報告書の作成を支援するものであり、材料に含まれる化学物質のデータをデータベース上に保有していることが前提となっている。ところが、この化学物質のデータを収集するには、製品を構成する部品および原材料の取引先または製造元等へ依頼して取得しなければならない。このとき、取引先または製造元等から回答された化学物質のデータには、操作上や誤解による記載誤り、記載漏れ等の不備が存在する。このため、回答された化学物質のデータを検査する必要があり、この検査は専門知識を有する者が時間をかけて正確に行わなければならない。また、規制される化学物質は、定義も含めて法令により変化するので、この変化に対応するように化学物質のデータを取得しなければならない。
【０００５】
そこで、本発明は上記の事情に鑑みてなされたものであり、化学物質データを取得する際に、取得した化学物質データの記載情報について高精度かつ効率的に検査し、正確な化学物質データを取得することができる化学物質データ取得装置を提供することを目的とする。
【課題を解決するための手段】
【０００６】
上記目的を達成するため、本発明に係る化学物質データ取得装置は、製品を構成する部品および原材料に含まれる化学物質について記載した化学物質データを取得する化学物質データ取得装置であって、前記部品および原材料の取引先または製造元へ前記化学物質データの送信を依頼する依頼手段と、前記取引先または製造元から取得した前記化学物質データの記載情報について検査する検査手段と、前記検査手段による検査の結果に応じて、前記取引先または製造元に対して前記化学物質データの記載情報の訂正を依頼する訂正依頼手段とを備えることを特徴とする。
【０００７】
これによって、取得した化学物質データの記載情報について、例えば記載漏れおよび記載誤りを検査し、検査の結果に応じて化学物質データの記載情報の訂正を依頼するので、正確かつ効率的に化学物質データを取得することができる。
【０００８】
ここで、前記化学物質データ取得装置は、さらに、前記化学物質データが取得されたか否かを判定する取得判定手段と、前記取得判定手段によって前記化学物質データが取得されていないと判定された場合、前記取引先または製造元に対して前記化学物質データの送信を督促する督促依頼手段とを備えてもよい。また、前記取得判定手段は、前記化学物質データが取得されるべき所定の日を管理するとともに、前記所定の日が過ぎたときに前記判定を行うことが好ましい。これによって、取得されていない化学物質データについても、できるだけ早くに取得することができる。
【０００９】
また、前記化学物質データ取得装置は、さらに、前記化学物質データを登録するための化学物質データベースと、前記部品および原材料を構成する素材と前記素材に含まれる前記化学物質との対応関係が登録された検査用データベースとを保持する記憶手段を備え、前記検査手段は、前記検査用データベースを用いて前記化学物質データの記載情報について記載漏れおよび記載誤りを検査するとともに、前記検査の結果、前記化学物質データの記載情報が登録要求を満たした場合、前記化学物質データを前記化学物質データベースに登録し、一方、前記化学物質データの記載情報が前記登録要求を満たさなかった場合、その旨を前記訂正依頼手段に通知してもよい。
【００１０】
ここで、前記検査用データベースには、複数の前記素材と複数の前記化学物質との対応関係をマトリックス状に保持させ、その格子点に当該素材に含まれる当該化学物質の有無または割合も保持させてもよい。これによって、単純な含有関係の判定に加え、部品や原材料毎に記載された化学物質や素材の含有率合計により、化学物質から見た素材、素材から見た化学物質の記載漏れも判定でき、取得した化学物質データの記載情報について高精度かつ効率的に検査し、正確な化学物質データを取得することができる。
【００１１】
ここで、前記検査用データベースは、さらに前記素材が用いられる前記部品および原材料の種別を示す属性情報を前記素材毎に保持することが好ましい。このように、素材には使用する部品や原材料の種別による属性での区分を行える構成として化学物質との対応関係を複数もたせることによって、判定精度を高めることができる。
【００１２】
また、前記検査手段は、前記検査により検出された記載漏れおよび記載誤りの重要度および数に基づいて前記化学物質データの記載についての検査スコアを算出し、前記検査スコアが所定値以上の場合に前記登録要求を満たしたとしてもよい。これによって、化学物質データの記載が登録要求を満たすか否かを容易に判定することができる。
【００１３】
また、前記化学物質データ取得装置は、さらに、前記検査手段が算出した検査スコアを前記取引先または製造元毎に管理する評価手段を備えてもよい。これによって、取引先または製造元毎に、例えば検査スコアに応じて対応を変更することも可能である。
【００１４】
また、前記取得判定手段は、前記判定結果に基づいて前記取引先または製造元毎の前記化学物質データの提出状況に対する提出スコアを算出してもよい。また、前記化学物質データ取得装置は、さらに、前記取得判定手段が算出した提出スコアを前記取引先または製造元毎に管理する評価手段を備えてもよい。これによって、取引先または製造元毎に、例えば提出スコアに応じて対応を変更することも可能である。
【００１５】
なお、本発明は、このような化学物質データ取得装置として実現することができるだけでなく、このような化学物質データ取得装置が備える特徴的な手段をステップとする化学物質データ取得方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００１６】
本発明に係る化学物質データ取得装置によれば、取得した化学物質データの記載情報について検査を行って、検査の結果に応じて化学物質データの記載情報の訂正依頼を行うので、容易に正確な化学物質データを取得することができる。
【００１７】
以上のように、本発明によって化学物質データを容易かつ正確に取得することができ、地球規模での環境保護がクローズアップされる今日における本発明の実用的価値は極めて高い。
【発明を実施するための最良の形態】
【００１８】
以下、本発明の実施の形態について図面を参照しながら詳細に説明する。
図１は、本実施の形態における化学物質データ取得システム１の構成を示すブロック図である。
【００１９】
この化学物質データ取得システム１は、製品を構成する部品および原材料に含まれる化学物質のデータを取得して検査し、登録要求を満たす化学物質データを登録するシステムであり、その企業の管理部門等に設置された化学物質データ取得装置１０、その企業のアウトソーシング会社である取引先＆製造元の通信装置２１、および、それらの装置を接続する通信ネットワーク２０から構成される。
【００２０】
化学物質データ取得装置１０は、化学物質データの取得と検査を行うコンピュータ装置等であり、キーボードやマウス等の入力部１１、ＬＣＤ等の表示部１２及び制御部１３を備える。制御部１３は、通信ネットワーク２０を介して他の通信装置２１と通信する通信Ｉ／Ｆ部１４、プログラムで実現される処理部１５（依頼部１５ａ、取得判定部１５ｂ、検査部１５ｃ、訂正依頼部１５ｄ、督促依頼部１５ｅ、評価部１５ｆ）及びハードディスク等で実現される各種データベース（化学物質ＤＢ部１６、検査用ＤＢ部１７、取得先ＤＢ部１８）を備えている。
【００２１】
化学物質ＤＢ部１６は、この企業が製造・販売している製品について、製品を構成している部品および原材料に含まれる化学物質のデータを登録するためのデータベースを保持している記憶部である。ここでは、例えば図２に示すように、部品または原材料を示す「品番」ごとに、その部品または原材料を構成する素材（例えば、一般鋼、炭素鋼、ポリプロピレン、ポリ塩化ビニル等）を示す「素材コード」、その素材の部品または原材料中の含有率を示す「含有率」、その素材に含まれる化学物質（例えば、鉛、カドミウム、クロム酸等）を示す「化学物質名」、その化学物質の部品または原材料中の含有率を示す「含有率」が登録されている。なお、原材料については素材と同一となる場合もある。
【００２２】
検査用ＤＢ部１７は、素材と化学物質との対応関係が登録されたデータベースを保持している記憶部である。ここでは、例えば図３（ａ）に示すように「素材コード」を縦軸、「化学物質名」を横軸というようにマトリックス状に保持し、その格子点となる位置に図３（ｂ）に示すようにその位置に対応する素材中にその位置に対応する化学物質が必ず含まれないのか否か、また、含まれるのであればその化学物質の含有率の下限から上限が登録されている（以下、この登録内容を基準範囲という）。この図３（ａ）に示す例では、化学物質が必ず含まれない場合を白抜きの格子点で、図３（ｂ）に示す例では「−」で示している。このような構成によって、単純な含有関係の判定に加え、部品や原材料毎に記載された化学物質や素材の含有率合計により、化学物質から見た素材、素材から見た化学物質の記載漏れも判定できるようにする。なお、化学物質が必ず含まれないのか否か、または、その化学物質の含有率が不明となる場合も存在する。この検査用ＤＢ部１７によって、取引先＆製造元から取得した部品および原材料に含まれる化学物質のデータが妥当であるか否かが検査される。
【００２３】
取得先ＤＢ部１８は、取引先＆製造元に関する情報が登録されたデータベースを保持している記憶部である。ここでは、例えば図４に示すように、「取引先＆製造元」ごとに、化学物質データの記載について算出されたスコアを示す「検査スコア」、化学物質データの提出について算出されたスコアを示す「提出スコア」、「連絡先（電子メールアドレス）」、「担当者」が登録されている。
【００２４】
依頼部１５ａは、調査対象の部品および原材料の取引先＆製造元に対して、その部品や原材料に含まれる化学物質について記載するための調査シートを電子メール等で送信し、指定した日（回答期限）までにこの調査シートに化学物質データを記載して回答するように依頼する。この調査シートに記載される化学物質データは、例えば１つの部品または原材料について図５に示すように部品や原材料を構成する素材（素材コード）とこの素材の部品または原材料中の含有率、および素材ごとに含まれる化学物質とこの化学物質の部品または原材料中の含有率等で構成される。なお、調査シートに記載される化学物質データは、このように素材ごとに含まれる化学物質および含有率が記載される場合だけでなく、素材ごとに区別されずに部品または原材料中の化学物質および含有率が記載される場合もあり得る。また、調査対象の部品および原材料としては、例えば新規の部品および原材料や、現在使用されているがまだ化学物質についてのデータがない部品および原材料等がある。
【００２５】
取得判定部１５ｂは、依頼部１５ａが行った依頼に対する回答期限を管理し、回答期限内に回答（調査シート）を取得しているか否かを判定する。また、取得判定部１５ｂは、回答期限内に回答を取得しているか否かに応じて、依頼を行った取引先＆製造元に対する提出スコアを算出する。この提出スコアとしては、例えばそれまでに依頼した件数に対して回答期限内に回答を取得した件数を割合で示した値等を用いることができる。
【００２６】
検査部１５ｃは、取得した調査シートに記載されている内容に記載漏れおよび記載誤りがないかを検査用ＤＢ部１７を参照することによって検査を行う。さらに、検査部１５ｃは、これらの検査によって検出された記載漏れまたは記載誤りの重要度および数により化学物質データの記載についての検査スコアを算出する。この重要度は、例えば素材の含有率が１００％にならないというような素材の記載漏れは高く、例えば部品名称の記載漏れは低くする等、あらかじめ設定しておけばよい。また、検査スコアとしては、例えば回答された調査シートの記載箇所数に対する記載漏れまたは記載誤りのない箇所の数の割合を示した値等を用いることができる。このとき、重要度については、重要度が高い記載漏れまたは記載誤りの場合に、例えば記載漏れまたは記載誤りの箇所が２倍、３倍等あったものとして算出して、検査スコアに反映させることが可能である。
【００２７】
訂正依頼部１５ｄは、検査部１５ｃによって算出された検査スコアが所定値以下の場合に、この調査シートを回答した取引先＆製造元に対して、記載漏れまたは記載誤りであった箇所を指摘して訂正を依頼する訂正依頼を送信する。督促依頼部１５ｅは、取得判定部１５ｂによって、回答期限内に回答（調査シート）を取得していないと判定された場合、依頼を行った取引先＆製造元に対して回答を督促する督促依頼を送信する。評価部１５ｆは、取得判定部１５ｂによって算出された提出スコア、および検査部１５ｃによって算出された検査スコアを取引先＆製造元毎に管理する。
【００２８】
なお、依頼部１５ａ、訂正依頼部１５ｄおよび督促依頼部１５ｅは、それぞれ依頼、訂正依頼および督促依頼について、取得先ＤＢ部１８に登録された連絡先を参照することで送信先を特定し、該当取引先＆製造元２１の通信装置に通信Ｉ／Ｆ部１４を介して電子メール等で送信する。
【００２９】
次に、上記のように構成された化学物質データ取得システム１の動作について説明する。図６は化学物質データ取得システム１の動作を示すフローチャートである。
【００３０】
まず、依頼部１５ａは、調査すべき部品および原材料の取引先＆製造元の通信装置２１に通信Ｉ／Ｆ部１４を介して、調査シートを電子メール等で送信し、この調査シートに化学物質データを記載して回答するように依頼する（ステップＳ１０１）。次に、取得判定部１５ｂは、依頼部１５ａが行った依頼に対する回答（調査シート）を取得しているか否かを判定する（ステップＳ１０２）。ここで、回答（調査シート）を取得している場合（ステップＳ１０２でＹＥＳ）には、取得判定部１５ｂは、この取引先または製造元に対する提出スコアを算出し、評価部１５ｆへ通知する。次に、検査部１５ｃは、取得した調査シートに記載されている内容に記載漏れおよび記載誤りがないかを検査用ＤＢ部１７を参照することによって検査を行う（ステップＳ１０３）。すなわち、検査部１５ｃは、検査用ＤＢ部１７を参照することによって、調査シートに記載されている素材に含まれる化学物質の基準範囲を得て、調査シートに記載されている化学物質とその含有率が基準範囲内であるか否かに基づいて記載誤りであるか否かの検査を行う。例えば、調査シートに記載されている素材には必ず含まれる化学物質が記載されていない、または必ず含まれない化学物質が記載されている、または基準範囲を超えている等が検出されることになる。なお、逆に化学物質を基準として、調査シートに記載されている化学物質に対して必ず含まれる素材が記載されていない等を検出することも可能である。さらに、検査部１５ｃは、これらの検査によって検出された記載漏れまたは記載誤りの重要度および数により化学物質データの記載についての検査スコアを算出する。
【００３１】
次に、検査部１５ｃは、検査の結果、取得した調査シートに記載されている内容が要求を満たしているか否かを判定する（ステップＳ１０４）。すなわち、検査部１５ｃは、算出した検査スコアが所定値以上であった場合に要求を満たしていると判定する。この判定の結果、検査スコアが所定値以上であった場合（ステップＳ１０４でＹＥＳ）には、検査部１５ｃは、調査シートに記載されている化学物質データを化学物質ＤＢ部１６へ、該当部品または原材料に対応付けて登録する（ステップＳ１０５）。このとき、評価部１５ｆは、取得判定部１５ｂによって算出された提出スコア、および検査部１５ｃによって算出された検査スコアを、取得先ＤＢ部１８の該当する取引先＆製造元の項目へ登録（更新）する（ステップＳ１０６）。
【００３２】
また、取得判定部１５ｂが行った回答を取得しているか否かを判定処理（ステップＳ１０２）の結果、回答を取得していない場合（ステップＳ１０２でＮＯ）には、取得判定部１５ｂは、回答期限をオーバーしているか否かを判定する（ステップＳ１０７）。ここで、回答期限をオーバーしていない場合（ステップＳ１０７でＮＯ）には、回答を取得しているか否かを判定処理（ステップＳ１０２）に戻る。一方、回答期限をオーバーしている場合（ステップＳ１０７でＹＥＳ）には、督促依頼部１５ｅは、再度回答期限を設定して例えば「回答期限を過ぎておりますので、再度設定した回答期限までにご回答をお願い致します。」等の督促依頼を、調査シートの依頼を行った取引先＆製造元に対して送信する（ステップＳ１０８）。このとき、取得判定部１５ｂは、この取引先または製造元に対する提出スコアを算出し、評価部１５ｆへ通知する。評価部１５ｆは、この提出スコアを取得先ＤＢ部１８の該当する取引先＆製造元の項目へ登録（更新）する（ステップＳ１０９）。そして、回答を取得しているか否かを判定処理（ステップＳ１０２）に戻る。
【００３３】
また、検査部１５ｃが行った調査シートの記載内容についての判定処理（ステップＳ１０４）の結果、要求を満たしていない、すなわち検査スコアが所定値未満であった場合（ステップＳ１０４でＮＯ）には、訂正依頼部１５ｄは、この調査シートを回答した取引先＆製造元に対して、記載漏れまたは記載誤りであった箇所を指摘して例えば「記載漏れまたは記載誤りがありますので、再度設定した回答期限までに訂正した上でご回答をお願い致します。」等の訂正を依頼する訂正依頼を送信する（ステップＳ１１０）。このとき、評価部１５ｆは、取得判定部１５ｂによって算出された提出スコア、および検査部１５ｃによって算出された検査スコアを、取得先ＤＢ部１８の該当する取引先＆製造元の項目へ登録（更新）する。また、検査部１５ｃは、記載漏れまたは記載誤りであった箇所をエラーログとして化学物質ＤＢ部１６へ登録する（ステップＳ１１１）。そして、回答を取得しているか否かを判定処理（ステップＳ１０２）に戻る。
【００３４】
このように、調査シートの回答期限を管理して督促依頼を行っているので、調査シートの提出忘れを減少させることが可能になる。また、調査シートにより取得した化学物質データの記載情報について、検査用ＤＢ部１７を参照して高精度かつ効率的に検査し、要求を満たしていない場合には訂正依頼を行っているので、正確な化学物質データを取得することができる。
【００３５】
なお、本実施の形態では、検査用ＤＢ部１７は素材と化学物質との対応関係が登録されたデータベースを保持しているとしているが、これらデータベースに新たな素材や化学物質を追加したり、変更や削除を行ったりする編集機能を備えていてもよい。これにより、対象となる素材や化学物が変化しても対応することができ、拡張性に優れたシステムを構成することが可能である。
【００３６】
また、本実施の形態では、検査用ＤＢ部１７は例えば図３に示すように素材と化学物質との対応関係が登録されたデータベースを保持しているとしているが、これに限られるものではない。検査用ＤＢ部１７は、例えば図７に示すように素材に対応する部品の種別を示す項目「属性」を有していても構わない。この場合、「属性」に基づいて同一素材でも用いられることのない部品および原材料の構成として記載されているか否か等の検査を行うことができる。また、「属性」に応じて基準範囲を変更することも可能である。このように素材には使用する部品や原材料の種別による属性での区分を行える構成として、同一素材について化学物質との対応関係を複数もたせ、電子部品や光学部品か機構外装部品などの使用用途での判定を加えて検査精度を高めることができる。
【００３７】
また、本実施の形態では、評価部１５ｆは、単に提出スコアおよび検査スコアを取引先＆製造元毎に管理するとしているが、これに限られるものではない。例えば、評価部１５ｆは、提出スコアまたは検査スコアに応じて取引先＆製造元への回答期限の設定を変更（提出スコアまたは検査スコアが高い場合には長く、低い場合には短く等）するように依頼部１５ａへ指示しても構わない。
【産業上の利用可能性】
【００３８】
以上のように、本発明に係る化学物質データ取得装置は、化学物質データの記載情報について高精度かつ効率的に検査することができ、例えば化学物質データ取得システム等で、訂正依頼や督促依頼を行って化学物質データを取得するのに有用である。
【図面の簡単な説明】
【００３９】
【図１】本発明の実施の形態に係る化学物質データ取得システムの構成を示すブロック図である。
【図２】化学物質ＤＢ部に格納されているデータ例を示す図である。
【図３】（ａ）検査用ＤＢ部の構成の概念を示す図であり、（ｂ）検査用ＤＢ部に格納されているデータ例を示す図である。
【図４】取得先ＤＢ部に格納されているデータ例を示す図である。
【図５】調査シートに記載される化学物質データの一例を示す図である。
【図６】化学物質データ取得システムの動作を示すフローチャートである。
【図７】化学物質ＤＢ部に格納されているデータ例の他の例を示す図である。
【符号の説明】
【００４０】
１      化学物質データ取得システム
１０    化学物質データ取得装置
１１    入力部
１２    表示部
１３    制御部
１４    通信Ｉ／Ｆ部
１５    処理部
１５ａ  依頼部
１５ｂ  取得判定部
１５ｃ  検査部
１５ｄ  訂正依頼部
１５ｅ  督促依頼部
１５ｆ  評価部
１６    化学物質ＤＢ部
１７    検査用ＤＢ部
１８    取得先ＤＢ部
２０    通信ネットワーク
２１    取引先＆製造元の通信装置
【図１】
2005084760.tif 000003
【図２】
2005084760.tif 000004
【図３】
2005084760.tif 000005
【図４】
2005084760.tif 000006
【図５】
2005084760.tif 000007
【図６】
2005084760.tif 000008
【図７】
2005084760.tif 000009